(57)【要約】【課題】チューナの種類を認識して、チューナを種類に応じて制御することが可能な放送信号受信装置を提供する。【解決手段】複数種類のチューナのそれぞれに固有のアドレスを示すチューナアドレスデータと、チューナの種類が確定していないことまたは確定したチューナの種類を示すチューナデータとを記憶するＥＥＰＲＯＭを備える。ＥＥＰＲＯＭのチューナデータを読み込み、チューナの種類が確定している場合は、該種類に応じてチューナとデータ通信して、チューナと信号処理部を制御する。チューナの種類が確定していない場合は、ＥＥＰＲＯＭのチューナアドレスデータを１つずつ読み出してチューナに送信し、チューナからいずれかのチューナアドレスデータを承認するＡＣＫＮＯＷＬＥＤＧＥが返信されると、チューナの種類を確定して、チューナデータを更新し、該種類に応じてチューナとデータ通信して、チューナと信号処理部を制御する。【選択図】図３
2008154172.tif 000002
【特許請求の範囲】
【請求項１】
テレビジョン放送信号を受信するチューナと、チューナからの出力信号を処理して映像信号と音声信号とを生成する信号処理手段と、チューナと信号処理手段とを制御する制御手段と、を備えた放送信号受信装置において、
複数種類のチューナのそれぞれに固有のアドレスを示す複数のチューナアドレスデータと、備えたチューナの種類が確定していないことまたは確定した前記チューナの種類を示すチューナデータとを記憶する記憶手段を備え、
前記制御手段は、電源投入時に前記記憶手段の前記チューナデータを読み込み、前記チューナの種類が確定している場合は、該チューナの種類に応じて、前記チューナとデータ通信して、前記チューナと前記信号処理手段とを制御し、前記チューナの種類が確定していない場合は、前記記憶手段の前記チューナアドレスデータを１つずつ読み出して前記チューナに送信し、前記チューナからいずれかの前記チューナアドレスデータを承認するデータが返信されれば、該チューナアドレスデータに基づいて前記チューナの種類を確定し、前記記憶手段の前記チューナデータを更新して、該チューナの種類に応じて、前記チューナとデータ通信して、前記チューナと前記信号処理手段とを制御し、前記チューナから前記承認データが返信されなければ、前記チューナへの前記チューナアドレスデータの順次送信と、前記チューナからの前記承認データの返信確認とを所定回数繰り返し行うことを特徴とする放送信号受信装置。
【請求項２】
放送信号を受信するチューナと、チューナからの出力信号を処理する信号処理手段と、チューナと信号処理手段とを制御する制御手段と、を備えた放送信号受信装置において、
複数種類のチューナのそれぞれに固有のアドレスを示す複数のチューナアドレスデータと、備えた前記チューナの種類が確定していないことまたは確定した前記チューナの種類を示すチューナデータとを記憶する記憶手段を備え、
前記制御手段は、前記記憶手段の前記チューナデータを読み込み、前記チューナの種類が確定している場合は、該チューナの種類に応じて、前記チューナとデータ通信して、前記チューナと前記信号処理手段とを制御し、前記チューナの種類が確定していない場合は、前記記憶手段の前記チューナアドレスデータを１つずつ読み出して前記チューナに送信し、前記チューナからいずれかの前記チューナアドレスデータを承認するデータが返信されると、該チューナアドレスデータに基づいて前記チューナの種類を確定し、前記記憶手段の前記チューナデータを更新して、該チューナの種類に応じて、前記チューナとデータ通信して、前記チューナと前記信号処理手段とを制御することを特徴とする放送信号受信装置。
【請求項３】
請求項２に記載の放送信号受信装置において、
前記制御手段は、前記チューナへの前記チューナアドレスデータの順次送信と、前記チューナからの前記承認データの返信確認とを、所定回数繰り返し行うことを特徴とする放送信号受信装置。
【発明の詳細な説明】
【技術分野】
【０００１】
本発明は、放送信号を受信するチューナを備えた放送信号受信装置に関するものである。
【背景技術】
【０００２】
チューナを備えた放送信号受信装置として、例えばテレビジョン受像機、ビデオカセットレコーダ、ＤＶＤレコーダ、ハードディスクレコーダ、これらの少なくとも２つが一体になった複合装置、および映像や音声の記録や再生の機能を有しない単なる受信装置等がある。このような放送信号受信装置を製造するメーカでは、チューナを製造するメーカからチューナを購入し、チューナを制御する回路が形成された基板やプログラムを自社で開発して、それぞれ装置本体に組み込んでいる。チューナはメーカ毎に仕様が異なる。このため、放送信号受信装置では、チューナをメーカが異なる種類に応じて制御できなければ、精度よく放送信号を受信して映像信号や音声信号を生成できなくなる。
【０００３】
一方、下記の特許文献１〜３には、接続されたユニットの種類を判別する技術が開示されている。特許文献１では、放送信号受信装置において、チューナの種別に対応した抵抗値を有する抵抗器をチューナに設け、マイコンのＡ／Ｄポートと５Ｖ出力端子を接続するラインを本体に設け、抵抗器と前記ラインを接続する別のラインをチューナと本体に設け、５Ｖ出力端子から供給される電圧を抵抗器で分圧して、Ａ／Ｄポートで検出される電圧値を変化させ、該電圧値に基づいてチューナのメーカを判別している。特許文献２では、液晶表示システムにおいて、液晶表示ユニットの制御部で、液晶表示ユニットに装着されたユニットがチューナユニットかゲームユニットかを、液晶表示ユニットに設けたスイッチのオン・オフ状態、または装着されたユニットとの間の２ビットの信号交換により判別している。特許文献３では、基板検査装置において、検査対象となる全種類の基板に予め基板ＩＤを記憶しておき、全種類の基板の基板ＩＤを記憶したＲＯＭを備え、被検査基板に設けられたＣＰＵで、被検査基板に書き込まれた基板ＩＤとＲＯＭに記憶された基板ＩＤとを照合して、被検査基板の種類を判別している。
【０００４】
【特許文献１】特開２０００−２９９８２３号公報
【特許文献２】特開平７−２６４５２１号公報
【特許文献３】特許第３６２９８２０号公報
【発明の開示】
【発明が解決しようとする課題】
【０００５】
上述した特許文献１、２の方法では、特別な抵抗器やラインやスイッチ等をチューナや本体側に設けなければならないので、その分コストが高くなってしまう。なお、特許文献２には、ユニット間の信号交換により装着ユニットの種類を判別することも記載されているが、これの詳細については記載されておらず不明である。また、特許文献３の方法では、チューナに予めＩＤを記憶しておいても、その記憶場所はチューナの種類によって異なるので、本体側からチューナのその記憶場所にアクセスしてＩＤを読み出せないことがある。
【０００６】
本発明は、以上のような問題点を解決するものであって、その課題とするところは、チューナの種類を認識して、チューナを種類に応じて制御することが可能な放送信号受信装置を提供することにある。
【課題を解決するための手段】
【０００７】
本発明では、放送信号を受信するチューナと、チューナからの出力信号を処理する信号処理手段と、チューナと信号処理手段とを制御する制御手段とを備えた放送信号受信装置において、複数種類のチューナのそれぞれに固有のアドレスを示す複数のチューナアドレスデータと、備えたチューナの種類が確定していないことまたは確定したチューナの種類を示すチューナデータとを記憶する記憶手段を備え、制御手段は、記憶手段のチューナデータを読み込み、チューナの種類が確定している場合は、該チューナの種類に応じて、チューナとデータ通信して、チューナと信号処理手段とを制御し、チューナの種類が確定していない場合は、記憶手段のチューナアドレスデータを１つずつ読み出してチューナに送信し、チューナからいずれかのチューナアドレスデータを承認するデータが返信されると、該チューナアドレスデータに基づいてチューナの種類を確定し、記憶手段のチューナデータを更新して、該チューナの種類に応じて、チューナとデータ通信して、チューナと信号処理手段とを制御する。
【０００８】
このようにすると、チューナのアドレスがチューナのどこに記憶されていても、チューナで承認されたチューナアドレスデータに基づいて、制御手段でチューナの種類を自動的かつ正確に確定して、チューナデータを更新することができる。そして、制御手段でチューナデータより、チューナの種類を認識して、該種類に応じて、チューナとデータ通信し、チューナと信号処理手段とを制御することが可能となる。この結果、複数種類のチューナのいずれかを使用しても、常に精度よく放送信号を受信して、信号処理手段から映像信号や音声信号を出力することが可能となる。また、チューナを制御する制御手段の回路基板とプログラムおよびその他の各部を共通化することができ、従来のように特別な抵抗器やラインやスイッチ等を設ける必要がないので、コストを削減することが可能となる。
【０００９】
また、本発明の一実施形態では、上記放送信号受信装置において、制御手段は、チューナへのチューナアドレスデータの順次送信と、チューナからの承認データの返信確認とを所定回数繰り返し行う。
【００１０】
このようにすると、制御手段とチューナの間での該チューナに対応するチューナアドレスデータの１回目の送信や該チューナアドレスデータに対する承認データの返信がノイズ等の影響で正常に行われなかったために、チューナの種類が確定できなくても、２回目以降の各チューナアドレスデータの送信と各チューナアドレスデータに対する承認データの返信確認により、チューナの種類を正確に確定することができる。
【００１１】
さらに、本発明の典型的な実施形態では、テレビジョン放送信号を受信するチューナと、チューナからの出力信号を処理して映像信号と音声信号とを生成する信号処理手段と、チューナと信号処理手段とを制御する制御手段とを備えた放送信号受信装置において、複数種類のチューナのそれぞれに固有のアドレスを示す複数のチューナアドレスデータと、備えたチューナの種類が確定していないことまたは確定したチューナの種類を示すチューナデータとを記憶する記憶手段を備え、制御手段は、電源投入時に記憶手段のチューナデータを読み込み、チューナの種類が確定している場合は、該チューナの種類に応じて、チューナとデータ通信して、チューナと信号処理手段とを制御し、チューナの種類が確定していない場合は、記憶手段のチューナアドレスデータを１つずつ読み出してチューナに送信し、チューナからいずれかのチューナアドレスデータを承認するデータが返信されれば、該チューナアドレスデータに基づいてチューナの種類を確定し、記憶手段のチューナデータを更新して、該チューナの種類に応じて、チューナとデータ通信して、チューナと信号処理手段とを制御し、チューナから前記承認データが返信されなければ、チューナへのチューナアドレスデータの順次送信と、チューナからの前記承認データの返信確認とを所定回数繰り返し行う。
【００１２】
このようにすると、チューナのアドレスがチューナのどこに記憶されていても、チューナで承認されたチューナアドレスデータに基づいて、制御手段でチューナの種類を自動的かつ正確に確定して、チューナデータを更新することができる。また、ノイズ等の影響で１回目の各チューナアドレスデータの送信と各チューナアドレスデータに対する承認データの返信確認によりチューナの種類が確定できなくても、２回目以降の各チューナアドレスデータの送信と各チューナアドレスデータに対する承認データの返信確認によりチューナの種類を正確に確定することができる。そして、制御手段でチューナデータより、チューナの種類を認識して、該種類に応じて、チューナとデータ通信して、チューナと信号処理手段とを制御することが可能となる。この結果、複数種類のチューナのいずれかを使用しても、常に精度よくテレビジョン放送信号を受信して、信号処理手段から映像信号と音声信号を出力することが可能となる。また、チューナを制御する制御手段の回路基板とプログラムおよびその他の各部を共通化することができ、従来のように特別な抵抗器やラインやスイッチ等を設ける必要がないので、コストを削減することが可能となる。
【発明の効果】
【００１３】
本発明によれば、チューナで承認されたチューナアドレスデータに基づいて、チューナの種類を自動的かつ正確に確定して、チューナデータを更新し、チューナデータよりチューナの種類を認識して、該種類に応じて、チューナとデータ通信し、チューナと信号処理手段とを制御することが可能となる。
【発明を実施するための最良の形態】
【００１４】
図１は、本発明の実施形態に係る放送信号受信装置１０のブロック図である。放送信号受信装置１０は、例えばテレビジョン受像機から構成されている。システムコントローラ（以下、「シスコン」という。）１は、ＣＰＵ、ＲＯＭおよびＲＡＭ等のメモリ、カウンタ、およびインタフェイス等から構成されている。シスコン１は、メモリに記憶されたプログラムとデータに基づいて、放送信号受信装置１０の各部を制御する。ＥＥＰＲＯＭ２は、不揮発性のメモリである。
【００１５】
チューナ部３は、Ｄ／Ａ（デジタル／アナログ）チューナ（以下、「チューナ」という。）４と、該チューナ４用の制御モジュール（以下、「モジュール」という。）５とから構成されている。チューナ４には、コンローラＩＣであるＭＯＰ、メモリ、チューナ回路、およびアナログＩＦ検波回路等が設けられている。チューナ回路には、局部発振回路、ＰＬＬ回路、ＡＦＴ回路等が含まれている。チューナ４は、アンテナ１２を介してアナログとデジタルのテレビジョン放送信号（地上アナログ放送のテレビジョン放送信号と、地上デジタル放送、ＢＳデジタル放送、ＣＳデジタル放送、およびこれらデジタル放送に含まれるデジタルハイビジョン放送等のテレビジョン放送信号）を受信する。チューナ４は、アンテナ１２から入力された地上アナログ放送のＲＦ信号をチューナ回路によりアナログＩＦ信号に変換し、該アナログＩＦ信号をアナログＩＦ検波回路により検波して、アナログの映像信号と音声信号を信号処理部６へ出力する（Ａ−Ｖ／Ａ）。また、チューナ４は、アンテナ１２から入力された地上デジタル放送等のＲＦ信号を、チューナ回路によりデジタルＩＦ信号に変換して、モジュール５に出力する。
【００１６】
モジュール５は、チューナ４を制御するための回路が形成された基板等から成る。モジュール５の回路基板には、マイクロコンピュータ、メモリ、デジタル復調器、伝送エラー訂正器、ＭＰＥＧ−２転送インタフェイス、およびデジタルＴＶバックエンド回路等が設けられている。シスコン１は、モジュール５によりチューナ４を制御する。モジュール５は、チューナ４から出力されるデジタルＩＦ信号を、デジタル復調器により検波して、アナログデジタルコンバータによりデジタルの映像信号と音声信号に変換する。そして、モジュール５は、デジタルの映像信号と音声信号を伝送エラー訂正とＭＰＥＧ−２転送インタフェイスを通して、デジタルＴＶバックエンド回路によりアナログの映像信号と音声信号に変換し、信号処理部６に出力する（Ｄ−Ｖ／Ａ）。また、モジュール５は、チューナ４およびシスコン１とＩＩＣバス１１を介してデータ通信を行う。モジュール５に設けられたメモリには、メーカの異なる複数種類のチューナ４をそれぞれ制御するための制御情報の一部が記憶されている。チューナ４に設けられたメモリには、モジュール５により該チューナ４を制御するための制御情報の一部が記憶されている。
【００１７】
信号処理部６には、スイッチ回路、ＭＰＥＧ回路、アナログデジタルコンバータ等が設けられている。信号処理部６は、アナログ放送とデジタル放送の受信選択に応じて、処理する信号をスイッチ回路によりチューナ４またはモジュール５から出力されるアナログの映像信号と音声信号に切り替える。信号処理部６は、チューナ４またはモジュール５から出力されるアナログの映像信号と音声信号を処理して、ディスプレイ７とスピーカ８へ出力する。ディスプレイ７は、ＬＣＤまたはＣＲＴ等から構成されている。ディスプレイ７は、信号処理部６から出力される映像信号に基づいて映像を表示する。スピーカ８は、信号処理部６から出力される音声信号に基づいて音声を出力する。操作部９は、放送信号受信装置１０の本体の前面に設けられた操作パネル、リモコン、およびリモコン信号受信部から構成されている。操作パネルとリモコンには、放送信号受信装置１０を操作する各種のキーやスイッチ等が設けられている。上記の他にも放送信号受信装置１０には、図示しない電源部等の公知の構成が備わっている。
【００１８】
上記において、チューナ４は、本発明におけるチューナの一実施形態を構成する。モジュール５と信号処理部６は、本発明における信号処理手段の一実施形態を構成する。シスコン１とモジュール５は、本発明における制御手段の一実施形態を構成する。ＥＥＰＲＯＭ２は、本発明における記憶手段の一実施形態を構成する。
【００１９】
図２は、ＥＥＰＲＯＭ２の記憶内容の一部を示す図である。ＥＥＰＲＯＭ２の所定の領域には、例えばチューナアドレスデータ、チューナデータ、チャンネルデータ、および画面設定データ等のような種々のデータが記憶されている。チューナアドレスデータは、チューナ部３に備える（搭載する）候補である複数種類のチューナ４のそれぞれに割り当てられた固有のアドレスを示すデータである。本例では、チューナ部３に備える候補のチューナ４は、Ａ社とＢ社とＣ社のそれぞれで製造された３種類のチューナである。ＥＰＲＯＭ２にはチューナアドレスデータとして、Ａ社チューナアドレスとＢ社チューナアドレスとＣ社チューナアドレスの３つのデータが予め記憶されている。各社のチューナ４に備わるメモリには、割り当てられた固有のアドレスを示すデータが記憶されている。各社のチューナ４は、仕様、構造、およびデータ通信方式等が異なっている。モジュール５とシスコン１に備わるメモリには、各社のチューナ４を制御するためのプログラムとデータが記憶されている。
【００２０】
チューナデータは、チューナ部３に備えたチューナ４の種類が放送信号受信装置１０で制御上確定していないことまたは確定したチューナ４の種類を示すデータである。本例では、チューナデータは２ビットのデータであり、確定したチューナ４の種類がＡ社チューナであることを示す「００」、Ｂ社チューナであることを示す「０１」、Ｃ社チューナであることを示す「１０」、またはチューナ４の種類が確定していないことを示す「１１」のいずれかである。初期状態では、即ちチューナ４の種類が確定する前は、ＥＰＲＯＭ２にチューナデータとして「１１」が予め記憶されている。チューナデータは、シスコン１によってチューナ４の種類が確定されたときに更新される。チャンネルデータは、テレビジョン放送信号を受信するチャンネル等を示すデータである。画面設定データは、ディスプレイ７の表示画面の各種設定を示すデータである。
【００２１】
図３は、放送信号受信装置１０で行うチューナ種別確定処理の手順を示すフローチャートである。各ステップは、シスコン１が実行する。放送信号受信装置１０に電源が投入されると（Ｐｏｗｅｒ  ＯＮ）、先ずシスコン１は、ＥＥＰＲＯＭ２のチューナデータを読み込んで、備わっているチューナ４の種類が確定していないことを示す「１１」か否かを判定する（ステップＳ１）。チューナデータが「１１」であれば（ステップＳ１：ＹＥＳ）、シスコン１は、内蔵するカウンタの値Ｎを「０」に設定する（ステップＳ２）。これにより、カウンタ値Ｎが「３」ではなくなるので（ステップＳ３：ＮＯ）、次にシスコン１は、Ａ社チューナアドレスデータをＥＥＰＲＯＭ２から読み出して、モジュール５を介してチューナ４へ送信する（ステップＳ５）。チューナ４は、受信したチューナアドレスデータが自身に対応するアドレスを示していれば、承認したことを示すデータであるＡＣＫＮＯＷＬＥＤＧＥをモジュール５を介してシスコン１へ返信する。このため、チューナ４がＡ社チューナである場合は、チューナ４からシスコン１へＡ社チューナアドレスデータに対するＡＣＫＮＯＷＬＥＤＧＥが返信される（ステップＳ６：ＹＥＳ）。これにより、シスコン１は、チューナ４がＡ社チューナであると確定して、ＥＥＰＲＯＭ２のチューナデータをＡ社チューナであることを示す「００」に更新し（ステップＳ７）、処理を終了する。
【００２２】
一方、チューナ４がＡ社チューナでない場合は、チューナ４からシスコン１へＡＣＫＮＯＷＬＥＤＧＥが返信されないので（ステップＳ６：ＮＯ）、次にシスコン１は、Ｂ社チューナアドレスデータをＥＥＰＲＯＭ２から読み出してチューナ４へ送信する（ステップＳ８）。チューナ４がＢ社チューナである場合は、チューナ４からシスコン１へＢ社チューナアドレスデータに対するＡＣＫＮＯＷＬＥＤＧＥが返信される（ステップＳ９：ＹＥＳ）。これにより、シスコン１は、チューナ４がＢ社チューナであると確定して、ＥＥＰＲＯＭ２のチューナデータをＢ社チューナであることを示す「０１」に更新し（ステップＳ１０）、処理を終了する。
【００２３】
また一方、チューナ４がＢ社チューナでない場合は、チューナ４からシスコン１へＡＣＫＮＯＷＬＥＤＧＥが返信されないので（ステップＳ９：ＮＯ）、次にシスコン１は、Ｃ社チューナアドレスデータをＥＥＰＲＯＭ２から読み出してチューナ４へ送信する（ステップＳ１１）。チューナ４がＣ社チューナである場合は、チューナ４からシスコン１へＣ社チューナアドレスデータに対するＡＣＫＮＯＷＬＥＤＧＥが返信される（ステップＳ１２：ＹＥＳ）。これにより、シスコン１は、チューナ４がＣ社チューナであると確定して、ＥＥＰＲＯＭ２のチューナデータをＣ社チューナであることを示す「１０」に更新し（ステップＳ１３）、処理を終了する。
【００２４】
他方、モジュール５を介したシスコン１とチューナ４の間でのチューナ４に対応するチューナアドレスデータの送信または該チューナアドレスデータに対するＡＣＫＮＯＷＬＥＤＧＥの返信が、ノイズ等の影響で正常に行われなかった場合は、チューナ４からシスコン１へ各チューナアドレスデータに対するＡＣＫＮＯＷＬＥＤＧＥが返信されないので（ステップＳ６：ＮＯ、ステップＳ９：ＮＯ、ステップＳ１２：ＮＯ）、シスコン１はカウンタ値Ｎに「１」を加算する（ステップＳ１４）。そして、カウンタ値Ｎが「３」未満になっている間（ステップＳ３：ＮＯ）、シスコン１はステップＳ５〜Ｓ１４を繰り返し実行する。この後、各チューナアドレスデータに対するＡＣＫＮＯＷＬＥＤＧＥが返信されないため（ステップＳ６：ＮＯ、ステップＳ９：ＮＯ、ステップＳ１２：ＮＯ）、チューナ４の種類が確定しないまま、カウンタ値Ｎが「３」になると（ステップＳ３：ＹＥＳ）、シスコン１はチューナ４の種類が確定しなかったことをＥＥＰＲＯＭ２に記憶して（ステップＳ４）、処理を終了する。
【００２５】
ステップＳ７、Ｓ１０、またはＳ１３でチューナ４の種類を確定し、チューナデータを更新して、処理を終了した後、シスコン１は、チューナデータを読み込んで、チューナ４の種類を認識し、該チューナ４の種類に応じてモジュール５により、チューナ４とデータ通信し、チューナ４と信号処理部６を制御して、選局動作やテレビジョン放送信号に基づく映像と音声の出力動作等を行う。また、一度チューナ４の種類を確定すると、次回電源が投入されたときに、チューナデータは「００」、「０１」、または「１０」のいずれかになっているので（ステップＳ１：ＮＯ）、シスコン１は、チューナデータよりチューナ４の種類を認識し、該チューナ４の種類に応じて、モジュール５を介してチューナ４とデータ通信し、チューナ４と信号処理部６を制御して、選局動作やテレビジョン放送信号に基づく映像と音声の出力動作等を行う。なお、チューナ４の種類が確定せず、チューナデータを更新せずに処理を終了した後は、シスコン１によるチューナ４等に対するデータ通信と制御は行われない。
【００２６】
以上によると、各社のチューナのアドレスが該チューナのどこに記憶されていても、シスコン１が各チューナアドレスデータをチューナ４へ１つずつ送信し、チューナ４が対応するチューナアドレスデータを承認してＡＣＫＮＯＷＬＥＤＧＥをシスコン１へ返信するので、承認されたチューナアドレスデータに基づいて、シスコン１でチューナ４のメーカが異なる種類を自動的かつ正確に確定して、チューナデータを更新することができる。そして、シスコン１でチューナデータより、チューナ４の種類を認識して、該種類に応じて、チューナ４とデータ通信し、チューナ４と信号処理部６とを制御することが可能となる。この結果、複数種類のチューナ４のいずれかを使用しても、常に精度よくテレビジョン放送信号を受信して、信号処理部６から映像信号や音声信号を出力することが可能となる。また、チューナ４を制御するシスコン１とモジュール５のプログラムと回路基板等およびその他の各部を共通化することができ、従来のように特別な抵抗器やラインやスイッチ等を設ける必要がないので、コストを削減することが可能となる。さらに、シスコン１とチューナ４の間での該チューナ４に対応するチューナアドレスデータの１回目の送信や該チューナアドレスデータに対するＡＣＫＮＯＷＬＥＤＧＥの返信がノイズ等の影響で正常に行われなかったために、シスコン１でチューナ４の種類が確定できなくても、各チューナアドレスデータの送信と各チューナアドレスデータに対するＡＣＫＮＯＷＬＥＤＧＥの返信確認とを複数回繰り返し行うことで、２回目以降にシスコン１でチューナ４の種類を正確に確定することができる。
【００２７】
本発明は、以上の実施形態以外にも種々の形態を採用することができる。例えば、以上の実施形態では、判別するチューナ４の種類が３種類である例を挙げたが、本発明はこれのみに限定するものではなく、判別するチューナ４の種類は２種類でも４種類以上でもよい。４種類以上にする場合は、チューナの全種類を示すために、チューナデータを３ビット以上にすればよい。
【００２８】
また、以上の実施形態では、チューナ４への各チューナアドレスデータの順次送信と、チューナ４からのＡＣＫＮＯＷＬＥＤＧＥの返信確認とを、３回繰り返し行う例を挙げたが、本発明はこれのみに限定するものではなく、上記繰り返し回数は２回でも４回以上でもよい。また、ユーザが操作部９の操作により、上記繰り返し回数を自由に変更できるようにしてもよい。
【００２９】
また、以上の実施形態では、デジタルとアナログのテレビジョン放送信号を受信可能なチューナ４を備えた例を挙げたが、本発明はこれのみに限定するものではなく、これ以外に、テレビジョン放送信号以外の放送信号を受信可能なチューナや、デジタルとアナログのいずれかの放送信号を受信可能なチューナを備えるようにしてもよい。
【００３０】
さらに、以上の実施形態では、テレビジョン受像機から成る放送信号受信装置１０に本発明を適用した例を挙げたが、本発明は、例えばテレビジョン受像機、ビデオカセットレコーダ、光ディスクレコーダ、ハードディスクレコーダ、これらの少なくとも２つが一体になった複合装置、または映像や音声の記録や再生の機能を有しない単なる受信装置等のような、放送信号受信装置にも適用することができる。
【図面の簡単な説明】
【００３１】
【図１】本発明の実施形態に係る放送信号受信装置のブロック図である。
【図２】同装置に備わるＥＥＰＲＯＭの記憶内容を示す図である。
【図３】同装置で行うチューナ種別確定処理のフローチャートである。
【符号の説明】
【００３２】
１  システムコントローラ
２  ＥＥＰＲＯＭ
４  デジタル／アナログチューナ
５  制御モジュール
６  信号処理部
１０  放送信号受信装置
【図１】
2008154172.tif 000003
【図２】
2008154172.tif 000004
【図３】
2008154172.tif 000005